(57)【要約】【課題】通信費用を無駄にすることなく音響データを提供され、又は提供し得る通信端末装置を、提供する。また、発信者の気に入った呼出音の音響データを記録していない場合にその音響データを手間を掛けて入手せずともその音響データを着信側の通信端末装置に提供できる通信端末装置及びサーバ装置を提供する。【解決手段】通信端末装置１０を、通信元の指定する音響データを所有しているか否かを確認し、所有していない場合には発信側の通信端末装置１０から受け取り、所有している場合にはそれを使用して、呼出音を出力するように、構成する。また、サーバ装置２０は、発信側の通信端末装置１０から通信先情報と呼出音識別情報とを受信すると、その呼出音識別情報の示す音響データを、通信先情報の示す通信端末装置へ送信する。【選択図】　　図６
2004112049.tif 000002
【特許請求の範囲】
【請求項１】
電話網を介して発呼信号及び応答信号を送受信するとともに、前記発呼信号の着信を通知するための呼出音の音響データをその音響データを識別するための呼出音識別情報と共に記憶する通信装置との間でネットワークを介してデータを送受信するための送受信部と、
複数の操作キーを有するとともに何れかのキー入力を検出する入力部と、
前記音響データをその呼出音識別情報と共に記憶可能な記憶部と、
前記音響データに基づいて音波を生成することによって呼出音を出力する呼出音出力部と、
前記送受信部において前記発呼信号を着信する際には、その発呼信号の発信元が指定する呼出音の呼出音識別情報を前記通信装置から取得し、取得した前記呼出音識別情報が前記記憶部に記憶されていた場合には、前記呼出音識別情報に対応する音響データを前記記憶部から読み出し、読み出した音響データに基づく呼出音を前記呼出音出力部において出力するとともに、前記通信装置から取得した前記呼出音識別情報が前記記憶部に記録されていなかった場合には、前記呼出音識別情報に対応する音響データを前記通信装置から取得し、取得した音響データに基づく呼出音を前記呼出音出力部において出力し、前記呼出音出力部において前記呼出音を出力中に、前記入力部において所定のキー入力を検出すると、通話可能である旨を示す信号を前記発信元に送信する制御部と
を備えることを特徴とする通信端末装置。
【請求項２】
前記制御部は、前記発呼信号を受信すると、前記通信装置から呼出音識別情報を取得する前に、前記発呼信号の発信元に前記応答信号を送信する
ことを特徴とする請求項１記載の通信端末装置。
【請求項３】
前記発呼信号には、その発信元が呼出音を指定するか否かを示す出力指定情報が、付加されているとともに、
前記制御部は、前記発呼信号を着信した後、前記発呼信号に付加されている前記出力指定情報に基づいて前記発信元が呼出音を指定していると判別した場合に限り、前記通信装置から前記呼出音識別情報を取得する
ことを特徴とする請求項１記載の通信端末装置。
【請求項４】
前記制御部は、前記発信元が呼出音を指定していないと判別した場合には、前記入力部において所定のキー入力を受け付けて、そのキー入力を受け付けると前記発呼信号の発信元に前記応答信号を送信する
ことを特徴とする請求項３記載の通信端末装置。
【請求項５】
前記通信装置は、ネットワーク上のサーバ装置である
ことを特徴とする請求項１乃至４の何れかに記載の通信端末装置。
【請求項６】
前記通信装置は、前記発呼信号の送信元の通信端末装置である
ことを特徴とする請求項１乃至４の何れかに記載の通信端末装置。
【請求項７】
電話網を介して発呼信号及び応答信号を送受信するとともに、ネットワークを介してデータを送受信するための送受信部と、
複数の操作キーを有するとともに何れかのキー入力を検出する入力部と、
前記発呼信号の着信を通知するための呼出音の音響データをその音響データを識別するための呼出音識別情報と共に記憶する記憶部と、
通信先に関する通信先情報の入力と前記記憶部内の何れかの呼出音識別情報を指定する入力ととともに所定キーの入力を前記入力部において受け付けると、指定された前記呼出音識別情報を前記通信先情報の示す通信端末装置へ送信し、さらに、前記通信端末装置からの取得要求を受けると、前記呼出音識別情報の示す音響データを前記記憶部から読み出して前記通信端末装置へ送信する制御部と
を備えることを特徴とする通信端末装置。
【請求項８】
前記制御部は、前記呼出音識別情報を前記通信端末装置へ送信する前に、前記通信端末装置へ前記発呼信号を送信する
ことを特徴とする請求項７記載の通信端末装置。
【請求項９】
電話網を介して発呼信号及び応答信号を送受信するとともに、前記発呼信号の着信を通知するための呼出音の音響データをその音響データを識別するための呼出音識別情報と共に記憶するサーバ装置との間でネットワークを介してデータを送受信するための送受信部と、
各種画面を表示するための表示部と、
複数の操作キーを有するとともに何れかのキー入力を検出する入力部と、
通信先に関する通信先情報の入力ととともに所定のキー入力を前記入力部において受け付けると、前記呼出音の選択用の画面を前記表示部に表示させ、前記画面において何れかの呼出音が選択されると、その呼出音の呼出音識別情報及び前記通信先情報を前記サーバ装置へ送信する制御部と
を備えることを特徴とする通信端末装置。
【請求項１０】
ネットワーク上の通信端末装置との間でデータを送受信するための送受信部と、
発呼信号の着信を通知するための呼出音の音響データをその音響データを識別するための呼出音識別情報と共に記憶する記憶部と、
前記通信端末装置からその通信先に関する通信先情報と呼出音識別情報とを前記送受信部において受信すると、その呼出音識別情報を前記通信先情報の示す通信端末装置へ送信し、さらに、前記通信端末装置からの取得要求を受けると、前記呼出音識別情報の示す音響データを前記記憶部から読み出して前記通信先情報の示す通信通信装置へ送信する制御部と
を備えることを特徴とするサーバ装置。
【発明の詳細な説明】
【０００１】
【発明の属する技術分野】
本発明は、着信側端末が出力する呼出音を発呼信号の発信時に指定できる通信端末装置と、このような通信端末装置によって指定される呼出音を着信時に出力する通信端末装置と、これらのような通信端末装置とネットワークを介して繋がれるサーバ装置とに、関する。
【０００２】
【従来の技術】
周知のように、携帯電話機や固定電話機などの通信端末装置では、交響曲や歌謡曲などの音楽や、有名人や友人などの音声を、呼出音として利用することができる。なお、呼出音は、通信端末装置が発呼信号を着信していることをその所有者に知らせるための着信通知音であり、最近、我が国では、着信メロディや着信ボイスと呼ばれている。
【０００３】
また、近年の通信端末装置には、その操作者がインターネットアクセス機能を利用してダウンロードした呼出音用の音響データや、操作者が呼出音作成編集機能を利用して自作した音響データを、幾つか記録することができる。さらに、近年の通信端末装置では、発呼信号を着信している最中に所有者が画面を見ずに発信元を確認できるようにするための機能として、予め登録しておいた電話番号毎に別々の呼出音を割り当てておくことができる。
【０００４】
なお、特に携帯用の通信端末装置では、記憶容量が少ないために、登録可能な電話番号の件数に比べ、記憶しておける音響データの個数が少ない。このため、登録されている電話番号の全てに対して、個別の音響データを割り当てることができないという事情がある。
【０００５】
このような事情の下、最近では、発信側の通信端末装置において、その操作者（発信者）が、着信側の通信端末装置において出力される呼出音を、発呼信号を発信させる前に指定することができる技術が、開発されつつある（例えば特許文献１及び特許文献２を参照）。これらの技術によれば、発信者が、任意の呼出音を指定して任意の電話番号に電話を掛けると、その電話番号が示す通信端末装置へ発呼信号が発信されるとともに、発信者が指定した呼出音の音響データが、その通信端末装置へ送信され、その着信側の通信端末装置からは、発信者が指定した呼出音が出力される。このため、発信者は、自分を特徴付けるような音楽や音声を、着信側の通信端末装置の操作者を呼び出すための呼出音として利用することができ、一方、着信側の通信端末装置の操作者は、着信時に、出力される呼出音に基づいて、発信者を特定することができる。
【０００６】
【特許文献１】
特開２００１−１７７６０２号公報
【特許文献２】
特開２００２−０２７０３４号公報
【０００７】
【発明が解決しようとする課題】
しかしながら、上述したような技術によると、発信者が、自分の気に入った音楽や音声を、通話相手を呼び出すための呼出音として利用しようとしても、その音楽や音声の音響データが自分の通信端末装置に記録されていない場合には、着信側の通信端末装置においてその呼出音を出力させることができないという問題があった。このため、発信者は、自分の気に入った呼出音の音響データをダウンロードするなり自作するなりして一旦自分の通信端末装置に記録するという手間を、掛けねばならなかった。
【０００８】
また、上述したような技術によると、発信者の指定する呼出音の音響データが、着信側の通信端末装置に既にある場合であっても、発信者は、電話を掛ける際に、その音響データを着信側へ送らねばならなかった。このため、発信者が手間を掛けて入手した音響データが無駄になり、その入手に掛かった通信費用も無駄になるという問題もある。
【０００９】
そこで、本発明の第１の課題は、通信費用を無駄にすることなく音響データを提供され、又は提供し得る通信端末装置を、提供することにある。また、本発明の第２の課題は、発信者の気に入った呼出音の音響データを記録していない場合にその音響データを手間を掛けて入手せずともその音響データを着信側の通信端末装置に提供できる通信端末装置及びサーバ装置を、提供することにある。
【００１０】
【課題を解決するための手段】
上記の第１の課題を解決するために、本発明による通信端末装置は、以下のような構成を採用した。
【００１１】
すなわち、本発明による通信端末装置は、電話網を介して発呼信号及び応答信号を送受信するとともに、前記発呼信号の着信を通知するための呼出音の音響データをその音響データを識別するための呼出音識別情報と共に記憶する通信装置との間でネットワークを介してデータを送受信するための送受信部と、複数の操作キーを有するとともに何れかのキー入力を検出する入力部と、前記音響データをその呼出音識別情報と共に記憶可能な記憶部と、前記音響データに基づいて音波を生成することによって呼出音を出力する呼出音出力部と、前記送受信部において前記発呼信号を着信する際には、その発呼信号の発信元が指定する呼出音の呼出音識別情報を前記通信装置から取得し、取得した前記呼出音識別情報が前記記憶部に記憶されていた場合には、前記呼出音識別情報に対応する音響データを前記記憶部から読み出し、読み出した音響データに基づく呼出音を前記呼出音出力部において出力するとともに、前記通信装置から取得した前記呼出音識別情報が前記記憶部に記録されていなかった場合には、前記呼出音識別情報に対応する音響データを前記通信装置から取得し、取得した音響データに基づく呼出音を前記呼出音出力部において出力し、前記呼出音出力部において前記呼出音を出力中に、前記入力部において所定のキー入力を検出すると、通話可能である旨を示す信号を前記発信元に送信する制御部とを備えることを、特徴としている。
【００１２】
このように構成されると、この通信端末装置は、発呼信号を着信した際、発信元の指定する音響データが記憶部に記憶されている場合にはその音響データを利用して、また、発信元の指定する音響データが記憶部に記憶されていない場合には通信装置から取得した音響データを利用して、呼出音を出力する。このため、着信側の通信端末装置が、送信側が発信時に指定した呼出音の音響データを所有している場合には、音響データの送信は、行われない。従って、通信費用を無駄にすることがない。
【００１３】
なお、本発明による通信端末装置においては、呼出音の出力を指定するか否かを示す情報が、発呼信号に付加されていても良いし、呼出音識別情報が、発呼信号に付加されていても良い。
【００１４】
また、本発明による通信端末装置において、音響データの取得を要求される通信装置は、ネットワーク上のサーバ装置であっても良いし、発呼信号の発信元である通信端末装置であっても良い。
【００１５】
また、上記の第１の課題を解決するために、上述した本発明による通信端末装置に対して音響データを提供可能な通信端末装置は、以下のような構成を採用した。
【００１６】
すなわち、本発明による通信端末装置は、電話網を介して発呼信号及び応答信号を送受信するとともに、ネットワークを介してデータを送受信するための送受信部と、複数の操作キーを有するとともに何れかのキー入力を検出する入力部と、前記発呼信号の着信を通知するための呼出音の音響データをその音響データを識別するための呼出音識別情報と共に記憶する記憶部と、通信先に関する通信先情報の入力と前記記憶部内の何れかの呼出音識別情報を指定する入力ととともに所定キーの入力を前記入力部において受け付けると、指定された前記呼出音識別情報を前記通信先情報の示す通信端末装置へ送信し、さらに、前記通信端末装置からの取得要求を受けると、前記呼出音識別情報の示す音響データを前記記憶部から読み出して前記通信端末装置へ送信する制御部とを備えることを、特徴としている。
【００１７】
このように構成されると、この通信端末装置は、発信先から音響データの取得要求がある場合にのみ、音響データを送信する。従って、発信側の通信端末装置を操作する発信者が、通信費用を無駄にすることがない。
【００１８】
また、上記の第１及び第２の課題を解決するために、本発明による通信端末装置は、以下のような構成を採用した。
【００１９】
すなわち、本発明による通信端末装置は、電話網を介して発呼信号及び応答信号を送受信するとともに、前記発呼信号の着信を通知するための呼出音の音響データをその音響データを識別するための呼出音識別情報と共に記憶するサーバ装置との間でネットワークを介してデータを送受信するための送受信部と、各種画面を表示するための表示部と、複数の操作キーを有するとともに何れかのキー入力を検出する入力部と、通信先に関する通信先情報の入力ととともに所定のキー入力を前記入力部において受け付けると、前記呼出音の選択用の画面を前記表示部に表示させ、前記画面において何れかの呼出音が選択されると、その呼出音の呼出音識別情報及び前記通信先情報を前記サーバ装置へ送信する制御部とを備えることを、特徴としている。
【００２０】
また、上記の第１及び第２の課題を解決するために、本発明によるサーバ装置は、以下のような構成を採用した。
【００２１】
すなわち、本発明によるサーバ装置は、ネットワーク上の通信端末装置との間でデータを送受信するための送受信部と、発呼信号の着信を通知するための呼出音の音響データをその音響データを識別するための呼出音識別情報と共に記憶する記憶部と、前記通信端末装置からその通信先に関する通信先情報と呼出音識別情報とを前記送受信部において受信すると、その呼出音識別情報を前記通信先情報の示す通信端末装置へ送信し、さらに、前記通信端末装置からの取得要求を受けると、前記呼出音識別情報の示す音響データを前記記憶部から読み出して前記通信先情報の示す通信通信装置へ送信する制御部とを備えることを、特徴としている。
【００２２】
これらのように構成されると、通信端末装置は、所定の入力を受け付けると、通信先情報と呼出音識別情報とをサーバ装置へ送信し、一方、サーバ装置は、通信先情報と呼出音識別情報とを通信端末装置から受信すると、その呼出音識別情報を通信先情報の示す通信端末装置へ送信し、送信先から音響データの取得要求がある場合にのみ、音響データを送信する。このため、通信端末装置は、その操作者（発信者）の気に入った呼出音の音響データが記憶部に記憶されていない場合であっても、直接、サーバ装置から着信側の通信端末装置へ音響データを提供することができる。然も、着信側の通信端末装置がその音響データを所有していた場合には、音響データの送信は行われない。従って、発信者は、発信前に音響データを手間を掛けて入手する必要がなく、また、通信費用を無駄にすることもない。
【００２３】
なお、本発明による通信端末装置において、呼出音の選択用として表示部に表示される画面は、当該装置に事前に用意されている画面データによる画面であっても良いし、ネットワークを介してサーバ装置から取得されるウェブページであっても良い。前者の画面の場合には、制御部は、その画面内から選択された呼出音の呼出音識別情報を記憶部内から読み出すことによって取得し、或いは、入力部において呼出音識別情報が直接入力されることによって取得した後、その呼出音識別情報を通信先情報と共にサーバ装置へ送信する。一方、後者のウェブページの場合には、制御部は、ウェブページ内から選択された呼出音の識別情報をサーバ装置から取得した後、その呼出音識別情報を通信先情報と共にサーバ装置へ送信しても良いが、ウェブページ内から呼出音が選択された時にその呼出音識別情報をサーバ装置へ送信し、その後から通信先情報をサーバ装置へ送信しても良い。
【００２４】
【発明の実施の形態】
以下、図面に基づいて本発明の一実施形態を説明する。
【００２５】
＜全体構成＞
図１は、本発明を適用可能な一般的な通信システムの概略図を示す。図１に示されるように、通信システムは、電話網，パケット交換網及びインターネット，並びに、これらを介して相互に電話信号及びパケットを送受信可能な複数の通信端末装置１０を、備えている。
【００２６】
電話網は、全国各地の地域局内や事業者社屋内の電話交換機同士を繋ぐ電話用のネットワークである。各電話交換機は、その地域内の各家庭や各事業所に設置されている通信端末装置（パケット通信機能付き固定電話機）１０と有線にて繋がれており、若しくは、通信端末装置（パケット通信機能付き携帯電話機やＰＨＳ）１０と無線基地局を介して交信可能である。
【００２７】
電話交換機は、通信先を指定する情報とともに発呼信号を通信端末装置１０から受けると、通信先の通信端末装置１０と通じている電話交換機を探索し、その電話交換機を介して通信先へ発呼信号を送信する。そして、通信先から応答信号を受信すると、電話交換機は、その通信先と通信元との間に電話回線を確立させる。
【００２８】
なお、本発明が適用可能な電話は、通常の電話網を介して通話する電話であっても良いが、いわゆるＩＰ電話であっても良い。ＩＰ電話の場合には、図１に示されるように、各地域局内に設置されるＶｏＩＰルータ同士が、インターネットを介して電話信号を中継する。
【００２９】
パケット交換網は、通信事業者によって整備されたパケット通信用のネットワークであり、パケット用ゲートウエイとパケット通信センタ内のサーバ装置２０とを介してインターネットと繋がれている。また、パケット交換網は、全国各地の地域局内や事業者社屋内のパケット交換機とも繋がれている。
【００３０】
パケット交換機は、通信端末装置１０からパケットを受信すると、それを一旦メモリ内に蓄積した後、蓄積したパケットを、パケット交換網を通じてパケット通信センタ内のサーバ装置２０へ送信する。また、パケット交換機は、自身と通じている通信端末装置１０に向けたパケットをサーバ装置２０から受信すると、そのパケットをその通信端末装置１０へ中継する。
【００３１】
以下、通信端末装置１０及びサーバ装置２０について、順に説明する。
【００３２】
＜通信端末装置＞
通信端末装置１０は、上述したように電話信号及びパケットを送受信可能な装置であり、パケット通信機能付きの固定電話機や携帯電話機やＰＨＳ，電話信号を送受信可能な携帯情報端末（ＰＤＡ）やコンピュータ，等である。以下の説明では、通信端末装置１０の一例として携帯電話機を用いる。図２は、携帯電話機である通信端末装置１０の内部回路の構成図を示す。
【００３３】
図２に示される通信端末装置１０は、ＣＰＵ１０ａ，通話用スピーカ１０ｂ，マイクロフォン１０ｃ，表示装置１０ｄ，入力装置１０ｅ，タイマ１０ｆ，外部入力インターフェース（ＩＦ）装置１０ｇ，ラジオフリーケンシー（ＲＦ）回路１０ｈ，ＳＲＡＭ１０ｉ，呼出音用メモリ１０ｊ，呼出音形成回路１０ｋ，呼出音用スピーカ１０ｌ及びフラッシュメモリ１０ｍを、備えている。
【００３４】
ＣＰＵ１０ａは、各ハードウエア１０ｂ〜１０ｍを統合的に制御する中央処理装置である。通話用スピーカ１０ｂは、電話回線を通じて送信されてきた電話信号を音波に変換する装置である。マイクロフォン１０ｃは、音波を、電話回線を通じて送信するための電気信号に変換する装置である。表示装置１０ｄは、各種画面を表示するディスプレイや、そのディスプレイを制御するグラフィック制御回路などを、備える。入力装置１０ｅは、数字入力又は文字入力用のキーと数個の制御キーとを有する操作盤や、何れかのキーが押されたことを検出してそのキーに対応する電気信号を出力する入力制御回路などを、備える。タイマ１０ｆは、当該装置１０の稼働中に発生した事象の時刻を記録する装置である。
【００３５】
外部入力ＩＦ装置１０ｇは、各種機器との間でデータを送受信するためのケーブルを接続可能なコネクタ受けや、プロトコルに従ったデータ変換を司る制御回路などを、備える。ＲＦ回路１０ｈは、最寄りの無線基地局との間の電波の送受信を司る。ＳＲＡＭ１０ｉは、ＣＰＵ１０ａが利用するプログラムの一部や頻繁に利用するデータが一時的に記録される記憶装置である。呼出音用メモリ１０ｊは、当該装置１０の所有者に対して着信を通知するための呼出音として利用される音楽や音声の音響データが一時的に記録される記憶装置である。呼出音形成回路１０ｋは、呼出音用メモリ１０ｊ内の音響データに基づいてアナログの電気信号を生成するシンセサイザである。呼出音用スピーカ１０ｌは、呼出音形成回路１０ｋからの電気信号を音波に変換する装置である。
【００３６】
フラッシュメモリ１０ｍは、各種のデータファイルや各種のプログラムを記憶する記憶装置である。なお、このフラッシュメモリ１０ｍに記憶されているプログラムには、ハードウエアとソフトウエアを総合的に管理するためのオペレーションシステムプログラムや、電子メールの送受信機能や編集機能を実現するためのメーラーや、ＨＴＭＬサブセットにて記述されたハイパーテキストの閲覧を実現するためのブラウザが、含まれる。さらに、このフラッシュメモリ１０ｍには、音響データがそれぞれ格納された幾つかの音響ファイル，呼出音ファイル１１，電話帳ファイル１２，電話回線接続プログラム１３及び着信用プログラム１４が、記録されている。以下に、各ファイル１１，１２及び各プログラム１３，１４を説明する。
【００３７】
呼出音ファイル１１は、フラッシュメモリ１０ｍ内に記録された音響ファイルに関する情報が格納されるファイルである。このデータ構造を説明するために作成した論理的な表を、図３に示す。図３に示されるように、呼出音ファイル１１は、「呼出音識別情報」，「呼出音名」及び「音響データ格納ファイル名」の項目欄（フィールド）からなるレコードを音響ファイル毎に作成することによって、構成されている。
【００３８】
「呼出音識別情報」には、音響ファイル内の音響データを一意に識別するための呼出音識別情報が、格納される。なお、音響データが例えば交響曲や歌謡曲などのような音楽の音響データである場合や、有名人などの音声の音響データである場合には、その音響データには、全国共通に利用される呼出音識別情報が所定機関によって付与されている。また、音響データが個人的に作成された音楽や音声の音響データである場合には、この音響データには、所定機関によって呼出音識別情報が付与されることはないが、フラッシュメモリ１０ｍに格納される際に、個人的に作成された音響である旨を示す呼出音識別情報（例えば「９９９９」）が、付与される。
【００３９】
「呼出音名」には、音響データの示す音楽や音声の曲名やタイトルが、格納される。「音響データ格納ファイル名」には、音響ファイルのファイル名が、格納される。
【００４０】
電話帳ファイル１２は、電話番号やそれが示す宛先の氏名又は名称を登録しておくためのファイルである。このデータ構造を説明するために作成した論理的な表を、図４に示す。図４に示されるように、電話帳ファイル１２は、「電話番号」，「登録者名」及び「呼出音識別情報」の項目欄からなるレコードを登録者毎に作成することによって、構成されている。
【００４１】
「電話番号」には、電話番号が格納される。「登録者名」には、電話番号の示す宛先の氏名又は名称が、登録者名として格納される。「呼出音識別情報」には、当該装置１０の所有者が登録者からの着信を知らせるものとして定義しておいた呼出音の呼出音識別情報が、格納される。なお、登録者に対して呼出音が定義されていない場合、その登録者の「呼出音識別情報」には、デフォルト値が格納される。
【００４２】
電話回線接続プログラム１３は、当該装置１０の操作者によって通話ボタンが押下された際に、ＣＰＵ１０ａに対し、電話回線を確立する処理を行わせるためのプログラムである。
【００４３】
着信用プログラム１４は、電話が掛かってきた際に、ＣＰＵ１０ａに対し、呼出音を出力する処理を行わせるとともに、電話回線を確立する処理を行わせるためのプログラムである。
【００４４】
なお、電話回線接続プログラム１３や着信用プログラム１４は、外部入力ＩＦ装置１０ｇに繋がれたケーブル等を通じて各種機器からフラッシュメモリ１０ｍにインストールされたものであっても良いし、ブラウザを機能させることによってインターネット上のサイトからダウンロードされたものであっても良いし、当該装置１０の製造段階においてフラッシュメモリ１０ｍに記録されたものであっても良い。
【００４５】
＜サーバ装置＞
サーバ装置２０は、パケット通信を管理するための機能を備えた一般的なコンピュータであり、パケット通信料を管理する機能や、通信端末装置１０同士のパケットの交換を管理する機能を、有している。このサーバ装置２０の内部回路の構成図を、図５に示す。図５に示されるように、サーバ装置２０の内部には、ＣＰＵ２０ａ，ＲＡＭ２０ｂ，通信制御回路２０ｃ，フレキシブルディスクドライブ（ＦＤＤ）２０ｄ，ＣＤ−ＲＷドライブ２０ｅ，ハードディスクドライブ（ＨＤＤ）２０ｆ等が、備えられている。
【００４６】
ＣＰＵ２０ａは、各ハードウエア１０ｂ〜１０ｍを統合的に制御する中央処理装置である。ＲＡＭ２０ｂは、ＣＰＵ２０ａが利用するプログラムの一部や頻繁に利用するデータが一時的に記録される記憶装置である。通信制御回路２０ｃは、ＬＡＮ等の通信回線を介してインターネットに接続されたＮＩＣ等であり、インターネットに接続されたコンピュータとの間のデータの送受信を司る。
【００４７】
ＦＤＤ２０ｄ及びＣＤ−ＲＷドライブ２０ｅは、コンピュータ可読媒体であるフレキシブルディスクＦＤやコンパクトディスクＣＤに格納されたプログラムやデータを読み出したりこれらディスクＦＤ，ＣＤへプログラムやデータを書き込んだりする装置である。
【００４８】
ＨＤＤ２０ｆは、各種のプログラムやデータが読み書きされる記憶装置である。このＨＤＤ２０ｆに記憶されているプログラムには、ハードウエアとソフトウエアを総合的に管理するためのオペレーションシステムプログラムや、パケット通信を管理するためのプログラムや、ウェブサーバプログラムが、含まれる。また、このＨＤＤ２０ｆに記録されるデータファイルには、ユーザ提供用に用意されたコンテンツを有する複数のハイパーテキストファイルや、ユーザ提供用に用意された複数の音響ファイルが、含まれる。さらに、このＨＤＤ２０ｆには、音響データ提供プログラム２１が、記録されている。
【００４９】
音響データ提供プログラム２１は、或る通信端末装置１０から他の通信端末装置１０への音響ファイルの送信を依頼された際に、ＣＰＵ２０ａに対し、その音響ファイルを送信させる処理を行わせるプログラムである。
【００５０】
以下、通信端末装置１０を用いて電話を掛けるとき及び電話を受けるときの処理内容、並びに、サーバ装置２０が音響データを提供するときの処理内容について、順に説明する。
【００５１】
＜通信端末装置の処理内容＞
通信端末装置１０は、主電源が投入されると、電話回線接続プログラム１３と着信用プログラム１４とを直ちに読み込んで、電話回線接続処理及び着信用処理の実行を開始する。そして、通信端末装置１０は、主電源が投入されている間は、操作者から電話を掛ける操作（通話ボタンの押下）を受け付け、或いは、他の通信端末装置１０から電話が掛かってくる（発呼信号を受信する）のを待機している。
【００５２】
（電話を掛ける）
図６は、上述した電話回線接続処理の内容を示すフローチャートである。通信端末装置１０は、上述したように主電源が投入されている間は、通話ボタン（図７及び図８の「入」ボタン参照）が押下されるのを待機しており（Ｓ１０１）、通話ボタンが押下されると、通話ボタンが押下された時点で電話番号を受付済であるか否かを、判別する（Ｓ１０２）。
【００５３】
そして、通信端末装置１０は、通話ボタンが押下された時点で電話番号を受付済でなかった場合（Ｓ１０２；ＮＯ）、電話番号が入力されるまで待機し、電話番号が入力された場合（Ｓ１０２；ＹＥＳ）、発信方式選択画面を表示装置１０ｄに表示させる（Ｓ１０３）。この発信方式選択画面の一例を、図７に示している。図７に示される発信方式選択画面３１には、三つの発信方式を示す文言が、記述されており、各文言が記述された行の先頭には、それぞれ、ラジオボタン３１ａ〜３１ｃが、示されている。また、この画面３１には、クリッカブルなＯＫボタン３１ｄも、示されている。
【００５４】
なお、図７の発信方式選択画面３１では、ラジオボタン３１ａは、後に指定する呼出音の音響ファイルをサーバ装置２０から通信先に送信したうえでその通信先においてその呼出音を出力させる旨の選択肢を示し、ラジオボタン３１ｂは、後に指定する呼出音の音響ファイルを自機から通信先に送信したうえでその通信先においてその呼出音を出力させる旨の選択肢を示し、ラジオボタン３１ｃは、呼出音を指定しない旨の選択肢を示す。
【００５５】
図７に示されるような発信方式選択画面３１を表示装置１０ｄに表示させた後、通信端末装置１０は、ＯＫボタン３１ｄがクリックされるのを待機し（Ｓ１０４）、ＯＫボタン３１ｄがクリックされると、ＯＫボタン３１ｄのクリック時に何れのラジオボタンが選択されていたか、すなわち、呼出音を指定することを示すラジオボタン３１ａ，３１ｂが選択されていたのか、それとも、呼出音を指定しないことを示すラジオボタン３１ｃが選択されていたのかを、判別する（Ｓ１０５）。
【００５６】
そして、ＯＫボタン３１ｄのクリック時にラジオボタン３１ｃが選択されていた場合（Ｓ１０５；ＮＯ）、通信端末装置１０は、呼出音を指定しないと判断し、呼出音を指定しない旨の情報を付加した発呼信号を受付済の電話番号の示す通信先へ発信する処理を、開始する（Ｓ１０６）。この発信処理の開始後、通信端末装置１０は、発呼信号に対する応答信号が通信先から送信されてくるのを待機し（Ｓ１０７）、応答信号を受信すると、電話回線が確立されたとして、電話回線接続処理を終了する。
【００５７】
一方、図７に示されるような発信方式選択画面３１のＯＫボタン３１ｄがクリックされた時点においてラジオボタン３１ａ又はラジオボタン３２ｂが選択されていた場合（Ｓ１０５；ＹＥＳ）、通信端末装置１０は、その選択されていたラジオボタンがラジオボタン３１ａであるかラジオボタン３１ｂであるか、すなわち、フラッシュメモリ１０ｍ内の音響ファイルを通信先へ送信するのか、それとも、音響ファイルの通信先への送信をサーバ装置２０に依頼するのかを、判別する（Ｓ１０８）。
【００５８】
そして、ＯＫボタン３１ｄのクリック時にラジオボタン３１ｂが選択されていた場合（Ｓ１０８；ＹＥＳ）、通信端末装置１０は、フラッシュメモリ１０ｍ内の音響ファイルを通信先へ送信すると判断し、呼出音一覧画面を表示装置１０ｄに表示させる（Ｓ１０９）。この呼出音一覧画面の一例を、図８に示している。図８に示される呼出音一覧画面３２には、呼出音ファイル１１の「呼出音名」に格納される呼出音名（図３参照）が、記述されており、各呼出音名が記述された行の先頭には、それぞれ、ラジオボタン３２ａ〜３２ｃが示されている。また、この画面３２には、クリッカブルなＯＫボタン３２ｄも、示されている。
【００５９】
図８に示されるような呼出音一覧画面３２を表示装置１０ｄに表示させた後、通信端末装置１０は、ＯＫボタン３２ｄがクリックされるのを待機し（Ｓ１１０）、ＯＫボタン３２ｄがクリックされると、呼出音を指定する旨の情報を付加した発呼信号を受付済の電話番号の示す通信先へ発信する処理を、開始する（Ｓ１１１）。
【００６０】
続いて、通信端末装置１０は、発呼信号に対する応答信号が通信先から送信されてくるのを待機し（Ｓ１１２）、応答信号を受信すると、事前にフラッシュメモリ１０ｍ内に記録しておいた音響データに基づいて、呼出中を示すトーン音を通話用スピーカ１０ｂから出力する処理を、開始する（Ｓ１１３）。このトーン音出力の開始後、通信端末装置１０は、音響データ送信サブルーチンを実行する。この音響データ送信サブルーチンの内容を、図９に示す。
【００６１】
音響データ送信サブルーチンの開始後、通信端末装置１０は、上述した呼出音一覧画面３２において選択されたラジオボタンの示す呼出音名に対応する呼出音識別情報を、通信先へ送信する（Ｓ２０１）。続いて、通信端末装置１０は、送信した呼出音識別情報によって示される音響ファイルの格納の有無を示す信号（既取得信号又は未取得信号）が通信先から送信されてくるのを待機し（Ｓ２０２）、その信号を受信すると、その信号が既取得信号であるか未取得信号であるかを、判別する（Ｓ２０３）。
【００６２】
そして、受信した信号が既取得信号であった場合（Ｓ２０３；ＹＥＳ）、通信端末装置１０は、音響データ送信サブルーチンを終了して図６のメインルーチンへ処理を戻す。一方、受信した信号が未取得信号であった場合（Ｓ２０３；ＮＯ）、通信端末装置１０は、データ送信開始信号を通信先へ送信する（Ｓ２０４）。続いて、通信端末装置１０は、音響ファイルの送信の要求を示す要求信号が通信先から送信されてくるのを待機し（Ｓ２０５）、その要求信号を受信すると、当該呼出音識別情報にて示される音響ファイルをフラッシュメモリ１０ｍ内から読み出して通信先へパケット網を介して送信する処理を、開始する（Ｓ２０６）。
【００６３】
音響ファイル送信の開始後、通信端末装置１０は、その音響ファイル中の音響データを呼出音用メモリ１０ｊへ格納し終えた旨を示す格納完了信号が通信先から送信されてくるのを待機し（Ｓ２０７）、格納完了信号を受信すると、音響データ送信サブルーチンを終了して図６のメインルーチンに処理を戻す。
【００６４】
図９に示されるような音響データ送信サブルーチンの実行（Ｓ１１４）後、通信端末装置１０は、通話可能な状態になったことを示す通話可信号が通信先から送信されてくるのを待機し（Ｓ１２０）、この通話可信号を受信すると、通話用スピーカからトーン音を出力する処理を、停止させ（Ｓ１２１）、電話回線接続処理を終了する。
【００６５】
一方、図８に示されるような呼出音一覧画面３２のＯＫボタン３１ｄがクリックされた時点においてラジオボタン３１ａが選択されていた場合（Ｓ１０８；ＮＯ）、通信端末装置１０は、音響ファイルの送信をサーバ装置２０に依頼すると判断し、サーバ内選択サブルーチンを実行する（Ｓ１１５）。このサーバ内選択サブルーチンの内容を、図１０に示している。
【００６６】
サーバ内選択サブルーチンの開始後、通信端末装置１０は、呼出音を利用者に選択させるためのコンテンツを含むウェブページを示すハイパーテキストファイルを要求するリクエストメッセージを、サーバ装置２０に送信する（Ｓ３０１）。このリクエストメッセージの送信後、通信端末装置１０は、ハイパーテキストファイルが送信されてくるのを待機し（Ｓ３０２）、ハイパーテキストファイルを受信すると、そのハイパーテキストファイルによって示されるウェブページを表示装置１０ｄに表示させる（Ｓ３０３）。
【００６７】
ウェブページの表示後、通信端末装置１０は、所定の入力がなされるのを待機し（Ｓ３０４）、入力を受け付けると、その入力が他のウェブページへのジャンプを示すものであるか否かを、判別する（Ｓ３０５）。そして、当該入力が他のウェブページへのジャンプを示すものであった場合（Ｓ３０５；ＹＥＳ）、通信端末装置１０は、そのジャンプ先のウェブページを示すハイパーテキストファイルが送信されてくるのを待機する（Ｓ３０２）。一方、当該入力が他のウェブページへのジャンプを示すものでなかった場合（Ｓ３０５；ＮＯ）、通信端末装置１０は、当該入力が呼出音の決定を示すものであるか否かを、判別する（Ｓ３０６）。
【００６８】
そして、当該入力が呼出音の決定を示すものでなかった場合（Ｓ３０６；ＮＯ）、通信端末装置１０は、当該入力によって指定されるその他の処理を実行して（Ｓ３０７）、所定の入力がなされるのを待機する（Ｓ３０４）。一方、当該入力が呼出音の決定を示すものであった場合（Ｓ３０６；ＹＥＳ）、通信端末装置１０は、サーバ装置２０から当該呼出音の呼出音識別情報を取得し（Ｓ３０８）、サーバ内選択サブルーチンを終了して図６のメインルーチンに処理を戻す。
【００６９】
サーバ内選択サブルーチンの実行（Ｓ１１５）後、通信端末装置１０は、呼出音を指定する旨の情報を付加した発呼信号を受付済の電話番号の示す通信先へ発信する処理を、開始する（Ｓ１１６）。この発信処理の開始後、通信端末装置１０は、発呼信号に対する応答信号が通信先から送信されてくるのを待機し（Ｓ１１７）、応答信号を受信すると、事前にフラッシュメモリ１０ｍ内に記録しておいた音響データに基づいて、呼出中を示すトーン音を通話用スピーカ１０ｂから出力する処理を、開始させる（Ｓ１１８）。このトーン音出力の開始後、通信端末装置１０は、データ送信依頼サブルーチンを実行する（Ｓ１１９）。このデータ送信依頼サブルーチンの内容を、図１１に示す。
【００７０】
データ送信依頼サブルーチンの開始後、通信端末装置１０は、サーバ装置２０から取得しておいた呼出音識別情報（Ｓ１１５，Ｓ３０８）と、通信先に関する情報である電話番号とを、サーバ装置２０へ送信する（Ｓ４０１）。続いて、通信端末装置１０は、通信先への音響ファイルの送信が完了したことを示す完了信号がサーバ装置２０から送信されてくるのを待機し（Ｓ４０２）、完了信号を受信すると、データ送信依頼サブルーチンを終了して図６のメインルーチンに処理を戻す。
【００７１】
データ送信依頼サブルーチンの実行（Ｓ１１９）後、通信端末装置１０は、通話可能な状態になったことを示す通話可信号が通信先から送信されてくるのを待機し（Ｓ１２０）、この通話可信号を受信すると、通話用スピーカからトーン音を出力する処理を、停止させ（Ｓ１２１）、電話回線接続処理を終了する。
【００７２】
なお、通信端末装置１０は、上述した電話回線接続処理と並行して、図１２に示されるような接続経過通知画面３３を表示装置１０ｄに表示させる処理を実行しても良い。この図１２に示される接続経過通知画面３３には、図６のＳ１１１又はＳ１１６の実行が完了すると、音響ファイルが送信中である旨が示され、Ｓ１１４又はＳ１１９の実行が完了すると、音響ファイルの送信が終了した旨が示され、図９のＳ２０６又は後述する図１６のＳ８０７の実行が完了すると、通信先において呼出音を出力中である旨が示され、図６のＳ１２０の実行が完了すると、通話可能な状態になった旨が示される。
【００７３】
（電話を受ける）
図１３は、上述した着信用処理の内容を示すフローチャートである。通信端末装置１０は、上述したように主電源が投入されている間は、発呼信号が送信されてくるのを待機し（Ｓ５０１）、発呼信号を受信すると、発呼信号に付加されている情報が呼出音を指定するものであるか否かを、判別する（Ｓ５０２）。
【００７４】
そして、受信した発呼信号に付加されている情報が呼出音を指定しないものであった場合（Ｓ５０２；ＮＯ）、通信端末装置１０は、呼出音決定サブルーチンを実行する（Ｓ５０３）。この呼出音決定サブルーチンの内容を、図１４に示す。
【００７５】
呼出音決定サブルーチンの開始後、通常端末装置１０は、発呼信号を発した通信元の電話番号が電話帳ファイル１２内に存在するか否かを、判別する（Ｓ６０１）。そして、当該電話番号が電話帳ファイル１２内に存在していた場合（Ｓ６０１；ＹＥＳ）、通信端末装置１０は、当該電話番号に対応する呼出音識別情報を電話帳ファイル１２内から読み出す（Ｓ６０２）。一方、当該電話番号が電話帳ファイル１２内に存在していなかった場合（Ｓ６０１；ＮＯ）、通信端末装置１０は、初期設定の呼出音識別情報を読み出す（Ｓ６０３）。
【００７６】
呼出音識別情報の読み出し後、通信端末装置１０は、当該呼出音識別情報の示す音響ファイルを、フラッシュメモリ１０ｍから呼出音用メモリ１０ｊに読み出し（Ｓ６０４）、通常呼出サブルーチンを終了して図１３のメインルーチンに処理を戻す。
【００７７】
図１４に示されるような呼出音決定サブルーチンの実行（Ｓ５０３）後、通信端末装置１０は、呼出音用スピーカ１０ｌから呼出音を出力する処理を、開始する（Ｓ５０４）。この呼出音出力の開始後、通信端末装置１０は、通話ボタンが押下されるのを待機し（Ｓ５０５）。通話ボタンが押下されると、発呼信号に対する応答信号を通信元へ送信して（Ｓ５０６）、電話回線を確立させる。続いて、通信端末装置１０は、呼出音用スピーカ１０ｌから呼出音を出力する処理を、停止し（Ｓ５０７）、着信用処理を終了する。
【００７８】
一方、受信した発呼信号に付加されている情報が呼出音を指定するものであった場合（Ｓ５０２；ＹＥＳ）、通信端末装置１０は、発呼信号に対する応答信号を通信元へ送信し（Ｓ５０８）、電話回線を確立させる。そして、通信端末装置１０は、マイクロフォン１０ｃからの電気信号の出力を停止させ（Ｓ５０９）、通話不能な状態にする。続いて、通信端末装置１０は、通信元から呼出音識別情報が送信されてくるのを待機し（Ｓ５１０）、呼出音識別情報を受信すると、当該呼出音識別情報が呼出音ファイル１１内に存在するか否かを、判別する（Ｓ５１１）。
【００７９】
そして、当該呼出音識別情報が呼出音ファイル１１内に存在していなかった場合（Ｓ５１１；ＮＯ）、通信端末装置１０は、未取得信号を通信元へ送信し（Ｓ５１２）、音響データ受信サブルーチンを実行する（Ｓ５１３）。この音響データ受信サブルーチンの内容を、図１５に示す。
【００８０】
音響データ受信サブルーチンの開始後、通信端末装置１０は、データ送信開始信号を通信元又はサーバ装置２０から受信するのを待機し（Ｓ７０１）、データ送信開始信号を受信すると、当該データ送信開始信号の送信元へ要求信号を送信する（Ｓ７０２）。
【００８１】
続いて、通信端末装置１０は、図１３のＳ５１０で受信した呼出音識別情報の示す音響ファイルの受信が完了するのを待機し（Ｓ７０３）、当該音響ファイルの受信が完了すると、当該音響ファイル内の音響データを呼出音用メモリ１０ｊに読み出す（Ｓ７０４）。そして、通信端末装置１０は、通信元へ格納完了信号を送信し（Ｓ７０５）、音響データ受信サブルーチンを終了して図１３のメインルーチンに処理を戻す。
【００８２】
図１５の音響データ受信サブルーチンの実行（Ｓ５１３）後、通信端末装置１０は、呼出音用メモリ１０ｊ内の音響データに基づいて、呼出音用スピーカ１０ｌから呼出音を出力する処理を、開始し（Ｓ５１６）、通話ボタンが押下されるのを待機する（Ｓ５１７）。
【００８３】
一方、Ｓ５１０で受信した当該呼出音識別情報が呼出音ファイル１１内に存在していた場合（Ｓ５１１；ＹＥＳ）、通信端末装置１０は、既取得信号を通信元へ送信し（Ｓ５１４）、当該呼出音識別情報の示す音響ファイル内の音響データを呼出音用メモリ１０ｊに読み出す（Ｓ５１５）。続いて、通信端末装置１０は、呼出音用メモリ１０ｊ内の音響データに基づいて、呼出音用スピーカ１０ｌから呼出音を出力する処理を、開始し（Ｓ５１６）、通話ボタンが押下されるのを待機する（Ｓ５１７）。
【００８４】
そして、通信端末装置１０は、通話ボタンが押下されるのを待機している最中に、通話ボタンが押下されると、通話可信号を通信元へ送信し（Ｓ５１８）、呼出音用スピーカ１０ｌから呼出音を出力する処理を、停止する（Ｓ５１９）。続いて、通信端末装置１０は、マイクロフォン１０ｃからの電気信号の出力を開始させて（Ｓ５２０）、通話可能な状態にし、呼出音用メモリ１０ｊをクリアして（Ｓ５２１）、着信用処理を終了する。
【００８５】
＜サーバ装置の処理内容＞
サーバ装置２０は、主電源が投入されると、音響データ提供プログラム２１を直ちに読み込んで、音響データ提供処理の実行を開始する。この音響データ提供処理の内容を、図１６に示している。
【００８６】
音響データ提供処理の開始後において、主電源が投入されている間は、サーバ装置２０は、音響データの送信を依頼する通信端末装置１０から呼出音識別情報と通信先情報とが送信されてくるのを、待機している（Ｓ８０１）。そして、呼出音識別情報と通信先情報とを依頼元から受信すると、サーバ装置２０は、通信先情報が示す通信端末装置１０へ、当該呼出音識別情報を送信する（Ｓ８０２）。
【００８７】
続いて、サーバ装置２０は、既取得信号又は未取得信号が送信されてくるのを待機し（Ｓ８０３）、何れかの信号を受信すると、受信した信号が既取得信号であるか未取得信号であるかを、判別する（Ｓ８０４）。そして、受信した信号が既取得信号であった場合（Ｓ８０４；ＹＥＳ）、サーバ装置２０は、依頼元の通信端末装置１０に完了信号を送信し（Ｓ８０９）、音響データ提供処理を終了する。一方、受信した信号が未取得信号であった場合（Ｓ８０４；ＮＯ）、サーバ装置１０は、データ送信開始信号を通信先へ送信する（Ｓ８０５）。
【００８８】
続いて、サーバ装置２０は、要求信号が送信されてくるのを待機し（Ｓ８０６）、その要求信号を受信すると、当該呼出音識別情報の示す音響ファイルをＨＤＤ２０ｆ内から読み出し、要求信号を送信してきた通信端末装置１０へパケット網を介して音響ファイルを送信する処理を、開始する（Ｓ８０７）。音響ファイル送信の開始後、サーバ装置２０は、格納完了信号が送信されてくるのを待機し（Ｓ８０８）、格納完了信号を受信すると、依頼元の通信端末装置１０に完了信号を送信し（Ｓ８０９）、音響データ提供処理を終了する。
【００８９】
＜本実施形態の動作＞
以上に示した処理が通信端末装置１０及びサーバ装置２０において行われるので、本実施形態は以下のように動作する。
【００９０】
まず、通信端末装置１０の操作者（発信者）が、電話帳から電話番号を指定して通話ボタンを押下し、又は、通話ボタンを押下してから電話番号を入力すると、この通信端末装置１０には、図７に示されるような発信方式選択画面３１が表示される（Ｓ１０１〜Ｓ１０３）。発信者は、この発信方式選択画面３１に示された３つの選択肢のうちの何れかを選択することができる。以下、発信方法が選択された後の動作について、選択肢毎に場合分けして説明する。
【００９１】
第１に、発信者が、呼出音を指定しないことを示すラジオボタン３１ｃを選択して、ＯＫボタン３１ｄをクリックした場合、この発信側の通信端末装置１０は、発呼信号を発信し（Ｓ１０５〜Ｓ１０６）、この発呼信号を着信した通信端末装置１０は、呼出音を出力する（Ｓ５０１〜Ｓ５０４）。その後、着信側の通信端末装置１０は、通話ボタンの押下を受けて、応答信号を発信側へ送信し（Ｓ５０５，Ｓ５０６）、発信側の通信端末装置１０がこの応答信号を受けると（Ｓ１０７）、両者の通信端末装置１０には、電話回線が確立される。
【００９２】
第２に、発信者が、呼出音の音響データを自機から通信先に送信することを示すラジオボタン３１ｂを選択して、ＯＫボタン３１ｄをクリックした場合、この発信側の通信端末装置１０には、図８に示されるような呼出音一覧画面３２が表示される（Ｓ１０８，Ｓ１０９）。その後、発信者が、何れかの呼出音を選択すると、発信側の通信端末装置１０が、発呼信号を発信し（Ｓ１１０〜Ｓ１１２）、この発呼信号を着信した通信端末装置１０は、通話ボタンの押下を受けないで、応答信号を送信する（Ｓ５０８）。つまり、この第２の場合、両者の通信端末装置１０には、電話回線が自動的に確立される。
【００９３】
そして、着信側の通信端末装置１０が、マイクロフォンを使用不能にするとともに、発信側の通信端末装置１０が、トーン音を通話用スピーカから出力することにより、両者の通信端末装置１０は、電話回線を確立されたまま、通話不能状態にする（Ｓ１１３，Ｓ５０９）。その後、着信側の通信端末装置１０は、通信元の指定する音響データを所有しているか否かを確認し、所有していない場合には発信側の通信端末装置１０から受け取り、所有している場合にはそれを使用して、呼出音を出力する（Ｓ１１４，Ｓ２０１〜Ｓ２０７，Ｓ５１０〜Ｓ５１６）。そして、着信側の通信端末装置１０において操作者（着信者）が通話ボタンを押下すると、両者の通信端末装置１０，１０の通話不能状態が解消される（Ｓ１２０，Ｓ１２１，Ｓ５１７〜Ｓ５２１）。
【００９４】
第３に、発信者が、呼出音の音響データをサーバ装置から通信先に送信させることを示すラジオボタン３１ａを選択して、ＯＫボタン３１ｄをクリックした場合、この発信側の通信端末装置１０は、サーバ装置２０にアクセスして、呼出音選択用のコンテンツを持つウェブページを表示する（Ｓ１１５，Ｓ３０１〜Ｓ３０３）。その後、発信者が、ウェブページの中から何れかの呼出音を選択すると、第２の場合と同様に、両者の通信端末装置１０には、電話回線が自動的に確立され（Ｓ３０６〜Ｓ３０８，Ｓ１１６，Ｓ１１７，Ｓ５０８）、さらに、電話回線を確立されたまま、両者の通信端末装置１０は、通話不能状態にする（Ｓ１１３，Ｓ５０９）。
【００９５】
そして、着信側の通信端末装置１０は、通信元の指定する音響データを所有しているか否かを確認し、所有していない場合にはサーバ装置２０から受け取り、所有している場合にはそれを使用して、呼出音を出力する（Ｓ１１９，Ｓ８０１〜Ｓ８０９，Ｓ５１０〜Ｓ５１６）。そして、着信側の通信端末装置１０において操作者（着信者）が通話ボタンを押下すると、両者の通信端末装置１０，１０の通話不能状態が解消される（Ｓ１２０，Ｓ１２１，Ｓ５１７〜Ｓ５２１）。
【００９６】
＜まとめ＞
上述したように、本実施形態によれば、発信者が、着信側の通信端末装置１０において出力される呼出音を指定する際に、その呼出音の音響データが発信側の通信端末装置１０に記録されていない場合であっても、電話を掛ける際に表示される図７のような発信方式選択画面３１において、ラジオボタン３１ａを選択すれば、サーバ装置２０から着信側の通信端末装置１０へその音響データを送ることができる。
【００９７】
また、本実施形態によれば、サーバ装置２０から着信側の通信端末装置１０へ音響データを送る際には、着信側の通信端末装置１０がその音響データを所有しているかが確認され、所有している場合にはその音響データの送信を行わない。このため、同じ音響データを繰り返し受信する手間が省け、然も、通信料を無駄にすることがない。
【００９８】
さらに、本実施形態によれば、着信側の通信端末装置１０に音響データが送られる前に、電話回線が確立され、各信号は、電話回線を通じて行われる。このため、音響データを送信している間には、通話料金が積算される。これにより、通信事業者は、このようなシステムを開発した費用を回収することができる。
【００９９】
（付記１）
電話網を介して発呼信号及び応答信号を送受信するとともに、前記発呼信号の着信を通知するための呼出音の音響データをその音響データを識別するための呼出音識別情報と共に記憶する通信装置との間でネットワークを介してデータを送受信するための送受信部と、
複数の操作キーを有するとともに何れかのキー入力を検出する入力部と、
前記音響データをその呼出音識別情報と共に記憶可能な記憶部と、
前記音響データに基づいて音波を生成することによって呼出音を出力する呼出音出力部と、
前記送受信部において前記発呼信号を着信する際には、その発呼信号の発信元が指定する呼出音の呼出音識別情報を前記通信装置から取得し、取得した前記呼出音識別情報が前記記憶部に記憶されていた場合には、前記呼出音識別情報に対応する音響データを前記記憶部から読み出し、読み出した音響データに基づく呼出音を前記呼出音出力部において出力するとともに、前記通信装置から取得した前記呼出音識別情報が前記記憶部に記録されていなかった場合には、前記呼出音識別情報に対応する音響データを前記通信装置から取得し、取得した音響データに基づく呼出音を前記呼出音出力部において出力し、前記呼出音出力部において前記呼出音を出力中に、前記入力部において所定のキー入力を検出すると、通話可能である旨を示す信号を前記発信元に送信する制御部と
を備えることを特徴とする通信端末装置。
【０１００】
（付記２）
前記制御部は、前記発呼信号を受信すると、前記通信装置から呼出音識別情報を取得する前に、前記発呼信号の発信元に前記応答信号を送信する
ことを特徴とする付記１記載の通信端末装置。
【０１０１】
（付記３）
前記発呼信号には、その発信元が呼出音を指定するか否かを示す出力指定情報が、付加されているとともに、
前記制御部は、前記発呼信号を着信した後、前記発呼信号に付加されている前記出力指定情報に基づいて前記発信元が呼出音を指定していると判別した場合に限り、前記通信装置から前記呼出音識別情報を取得する
ことを特徴とする付記１記載の通信端末装置。
【０１０２】
（付記４）
前記制御部は、前記発信元が呼出音を指定していないと判別した場合には、前記入力部において所定のキー入力を受け付けて、そのキー入力を受け付けると前記発呼信号の発信元に前記応答信号を送信する
ことを特徴とする付記３記載の通信端末装置。
【０１０３】
（付記５）
前記通信装置は、ネットワーク上のサーバ装置である
ことを特徴とする付記１乃至４の何れかに記載の通信端末装置。
【０１０４】
（付記６）
前記通信装置は、前記発呼信号の送信元の通信端末装置である
ことを特徴とする付記１乃至４の何れかに記載の通信端末装置。
【０１０５】
（付記７）
電話網を介して発呼信号及び応答信号を送受信するとともに、ネットワークを介してデータを送受信するための送受信部と、
複数の操作キーを有するとともに何れかのキー入力を検出する入力部と、
前記発呼信号の着信を通知するための呼出音の音響データをその音響データを識別するための呼出音識別情報と共に記憶する記憶部と、
通信先に関する通信先情報の入力と前記記憶部内の何れかの呼出音識別情報を指定する入力ととともに所定キーの入力を前記入力部において受け付けると、指定された前記呼出音識別情報を前記通信先情報の示す通信端末装置へ送信し、さらに、前記通信端末装置からの取得要求を受けると、前記呼出音識別情報の示す音響データを前記記憶部から読み出して前記通信端末装置へ送信する制御部と
を備えることを特徴とする通信端末装置。
【０１０６】
（付記８）
前記制御部は、前記呼出音識別情報を前記通信端末装置へ送信する前に、前記通信端末装置へ前記発呼信号を送信する
ことを特徴とする付記７記載の通信端末装置。
【０１０７】
（付記９）
前記制御部は、呼出音を指定するか否かを示す出力指定情報を前記発呼信号に付加して、前記通信端末装置へ送信する
ことを特徴とする付記８記載の通信端末装置。
【０１０８】
（付記１０）
電話網を介して発呼信号及び応答信号を送受信するとともに、前記発呼信号の着信を通知するための呼出音の音響データをその音響データを識別するための呼出音識別情報と共に記憶するサーバ装置との間でネットワークを介してデータを送受信するための送受信部と、
各種画面を表示するための表示部と、
複数の操作キーを有するとともに何れかのキー入力を検出する入力部と、
通信先に関する通信先情報の入力ととともに所定のキー入力を前記入力部において受け付けると、前記呼出音の選択用の画面を前記表示部に表示させ、前記画面において何れかの呼出音が選択されると、その呼出音の呼出音識別情報及び前記通信先情報を前記サーバ装置へ送信する制御部と
を備えることを特徴とする通信端末装置。
【０１０９】
（付記１１）
前記制御部は、前記画面において何れかの呼出音が選択されると、前記通信端末装置へ前記発呼信号を送信した後に、選択された呼出音に対応した呼出音識別情報を前記通信先情報と共に前記サーバ装置へ送信する
を備えることを特徴とする付記１０記載の通信端末装置。
【０１１０】
（付記１２）
ネットワーク上の通信端末装置との間でデータを送受信するための送受信部と、
発呼信号の着信を通知するための呼出音の音響データをその音響データを識別するための呼出音識別情報と共に記憶する記憶部と、
前記通信端末装置からその通信先に関する通信先情報と呼出音識別情報とを前記送受信部において受信すると、その呼出音識別情報を前記通信先情報の示す通信端末装置へ送信し、さらに、前記通信端末装置からの取得要求を受けると、前記呼出音識別情報の示す音響データを前記記憶部から読み出して前記通信先情報の示す通信通信装置へ送信する制御部と
を備えることを特徴とするサーバ装置。
【０１１１】
（付記１３）
ネットワーク上の通信端末装置との間でデータを送受信可能であり、且つ、発呼信号の着信を通知するための呼出音の音響データを記憶しているサーバ装置が、前記通信端末装置からその通信先に関する通信先情報と呼出音識別情報とを通知されると、その呼出音識別情報を前記通信先情報の示す通信端末装置へ送信し、さらに、前記通信端末装置からの取得要求を受けると、前記呼出音識別情報の示す音響データを前記通信先情報の示す通信通信装置へ送信する
ことを特徴とする音響データ提供方法。
【０１１２】
（付記１４）
ネットワーク上の通信端末装置との間でデータを送受信するための送受信装置と、発呼信号の着信を通知するための呼出音の音響データを記憶する記憶装置とに繋がれるコンピュータに対し、
前記通信端末装置からその通信先に関する通信先情報と呼出音識別情報とを通知されると、その呼出音識別情報を前記通信先情報の示す通信端末装置へ送信させ、
前記通信端末装置からの取得要求を受けた場合には、前記呼出音識別情報の示す音響データを前記通信先情報の示す通信通信装置へ送信させる
ことを特徴とする音響データ提供プログラム。
【０１１３】
（付記１５）
ネットワーク上の通信端末装置との間でデータを送受信するための送受信装置と、発呼信号の着信を通知するための呼出音の音響データを記憶する記憶装置とに繋がれるコンピュータに対し、
前記通信端末装置からその通信先に関する通信先情報と呼出音識別情報とを通知されると、その呼出音識別情報を前記通信先情報の示す通信端末装置へ送信させ、
前記通信端末装置からの取得要求を受けた場合には、前記呼出音識別情報の示す音響データを前記通信先情報の示す通信通信装置へ送信させる
音響データ提供プログラム
を格納したコンピュータ可読媒体。
【０１１４】
（付記１６）
電話網を介して発呼信号及び応答信号を送受信するとともに、前記発呼信号の着信を通知するための呼出音の音響データをその音響データを識別するための呼出音識別情報と共に記憶する通信装置との間でネットワークを介してデータを送受信するための送受信装置と、前記音響データをその呼出音識別情報と共に記憶可能な記憶装置と、複数の操作キーを有するとともに何れかのキー入力を検出する入力装置と、音響データに基づいて音波をスピーカから出力する音響装置とに繋がれるコンピュータに対し、
前記送受信装置において前記発呼信号を着信すると、その発呼信号の発信元が指定する呼出音の呼出音識別情報を前記通信装置から取得させ、
前記通信装置から取得した前記呼出音識別情報が前記記憶装置に記憶されているか否かを判別させ、
前記通信装置から取得した前記呼出音識別情報が前記記憶装置に記憶されていた場合には、前記呼出音識別情報に対応する音響データを前記記憶装置から読み出させるとともに、読み出した音響データにより示される呼出音を前記音響装置に出力させ、
前記通信装置から取得した前記呼出音識別情報が前記記憶装置に記録されていなかった場合には、前記呼出音識別情報に対応する音響データを前記通信装置から取得させるとともに、取得した音響データにより示される呼出音を前記音響装置に出力させ、
前記音響装置が呼出音を出力中に、前記入力装置に対して所定のキー入力を受け付けさせ、
前記入力装置が所定のキー入力を受け付けると、通話可能である旨を示す信号を前記発信元に送信させる
ことを特徴とする着信用プログラム。
【０１１５】
（付記１７）
電話網を介して発呼信号及び応答信号を送受信するとともに、ネットワークを介してデータを送受信するための送受信装置と、前記発呼信号の着信を通知するための呼出音の音響データをその音響データを識別するための呼出音識別情報と共に記憶する記憶装置と、複数の操作キーを有するとともに何れかのキー入力を検出する入力装置とに接続されるコンピュータに対し、
前記入力装置において、通信先に関する通信先情報の入力と前記記憶部内の何れかの呼出音識別情報を指定する入力と所定キーの入力を受け付けさせ、
前記入力を受け付けた場合には、指定された前記呼出音識別情報を前記通信先情報の示す通信端末装置へ送信させ、
前記呼出音識別情報を送信した前記通信端末装置から音響データの取得要求を受けた場合には、前記呼出音識別情報の示す音響データを前記記憶装置から読み出させ、
読み出した音響データを前記通信通信装置へ送信させる
ことを特徴とする送信用プログラム。
【０１１６】
（付記１８）
電話網を介して発呼信号及び応答信号を送受信するとともに、前記発呼信号の着信を通知するための呼出音の音響データをその音響データを識別するための呼出音識別情報と共に記憶するサーバ装置との間でネットワークを介してデータを送受信するための送受信装置と、複数の操作キーを有するとともに何れかのキー入力を検出する入力装置とに接続されるコンピュータに対し、
前記入力装置において、通信先に関する通信先情報の入力と所定キーの入力とを受け付けさせ、
前記入力を受け付けた場合には、前記呼出音の選択用の画面を前記表示部に表示させ、
前記画面において何れかの呼出音が選択されると、その呼出音の呼出音識別情報及び前記通信先情報を前記サーバ装置へ送信させる
ことを特徴とする送信用プログラム。
【０１１７】
【発明の効果】
以上に説明したように、本発明によれば、通信費用を無駄にすることなく音響データを提供されることができ、又は提供することができる。また、発信者の気に入った呼出音の音響データを記録していない場合においてその音響データを手間を掛けて入手せずともその音響データを着信側の通信端末装置に提供することができる。
【図面の簡単な説明】
【図１】本発明が適用可能な一般的な通信システムの概略図
【図２】通信端末装置の概略的な構成図
【図３】呼出音ファイル内を概念的に示すテーブル
【図４】電話帳ファイル内を概念的に示すテーブル
【図５】サーバ装置の概略的な構成図
【図６】電話回線接続処理の内容を示すフローチャート
【図７】発信方式選択画面の画面例
【図８】呼出音一覧画面の画面例
【図９】音響データ送信処理の内容を示すフローチャート
【図１０】サーバ内選択処理の内容を示すフローチャート
【図１１】データ送信依頼処理の内容を示すフローチャート
【図１２】接続経過通知画面の画面例
【図１３】着信用処理の内容を示すフローチャート
【図１４】呼出音決定処理の内容を示すフローチャート
【図１５】音響データ受信処理の内容を示すフローチャート
【図１６】音響データ提供処理の内容を示すフローチャート
【符号の説明】
１０　　通信端末装置
１０ａ　ＣＰＵ
１０ｂ　通話用スピーカ
１０ｃ　マイクロフォン
１０ｄ　表示装置
１０ｅ　入力装置
１０ｈ　ＲＦ回路
１０ｊ　呼出音用メモリ
１０ｋ　呼出音形成回路
１０ｌ　呼出音用スピーカ
１０ｍ　フラッシュメモリ
１１　　呼出音ファイル
１２　　電話帳ファイル
１３　　電話回線接続プログラム
１４　　着信用プログラム
２０　　サーバ装置
２０ａ　ＣＰＵ
２０ｆ　ハードディスクドライブ（ＨＤＤ）
２１　　音響データ提供プログラム
【図１】
2004112049.tif 000003
【図２】
2004112049.tif 000004
【図３】
2004112049.tif 000005
【図４】
2004112049.tif 000006
【図５】
2004112049.tif 000007
【図６】
2004112049.tif 000008
【図７】
2004112049.tif 000009
【図８】
2004112049.tif 000010
【図９】
2004112049.tif 000011
【図１０】
2004112049.tif 000012
【図１１】
2004112049.tif 000013
【図１２】
2004112049.tif 000014
【図１３】
2004112049.tif 000015
【図１４】
2004112049.tif 000016
【図１５】
2004112049.tif 000017
【図１６】
2004112049.tif 000018